(57)【要約】【課題】複数のシーンを含む動画データファイルの中の必要とするシーンのデータを直接的に容易に取り出し、再生、修正・編集作業などのファイル操作が可能な動画データファイルを作成することを目的とする。【解決手段】動画データファイルの任意のフレームに対して付けられたインデックスに対し、動画データファイル中の各インデックスに対応させた任意のフレームを静止画データとして取り出して各インデックスのサムネイルとした動画データファイルである。【選択図】        図１
2004193934.tif 000002
【特許請求の範囲】
【請求項１】
動画データファイルにおいて、動画データファイル中の任意のフレームに対して任意の数だけインデックスが付けられていることを特徴とする動画データファイル。
【請求項２】
請求項１記載の動画データファイルにおいて、
前記動画データファイルの任意の１フレームを静止画データとして取り出して前記動画データファイルのファイルサムネイルとすることを特徴とする動画データファイル。
【請求項３】
請求項２記載の動画データファイルにおいて、
前記動画データファイルの先頭の１フレームを静止画データとして自動的に取り出して前記動画データファイルのファイルサムネイルとすることを特徴とする動画データファイル。
【請求項４】
請求項２または３記載の動画データファイルにおいて、
前記動画データファイルの任意のフレームに対して付けられた前記各インデックスに対し、前記動画データファイル中の前記各インデックスに対応させた任意のフレームを静止画データとして取り出して前記各インデックスのシーンサムネイルとすることを特徴とする動画データファイル。
【請求項５】
請求項４記載の動画データファイルにおいて、
前記動画データファイルの任意のフレームに対して付けられた前記各インデックスに対し、前記動画データファイル中の前記各インデックスが付けられたフレームを静止画データとして自動的に取り出して前記各インデックスのシーンサムネイルとすることを特徴とする動画データファイル。
【発明の詳細な説明】
【０００１】
【発明の属する技術分野】
本発明は動画データを容易に扱う為の動画データファイルに関するものである。
【０００２】
【従来の技術】
図８は従来例を説明する図面であり、２は動画データファイルの映像内容、３は動画データファイルのファイルサムネイルである。動画データファイルのファイルサムネイル３は動画データファイルの初めの１フレームを取り出してつくられていた。ひとつの動画データファイルの中には複数のシーンが含まれている場合もあるが、この場合も初めの１フレームからつくられたファイルサムネイル３により識別している。ディジタルカメラなどにより作成された静止画データファイルの場合には、ひとつの静止画データに対して同じ静止画のサムネイルがひとつあれば、サムネイルを見るだけで静止画データファイルの内容が把握でき、ユーザが必要な静止画データファイルを容易に見つけることが可能である。
【０００３】
【発明が解決しようとする課題】
しかしながら、上記従来例では、ディジタルカメラなどにより作成された静止画データファイルの場合には、ひとつの静止画データファイルに対して同じ静止画サムネイルがひとつあれば、サムネイルから静止画データファイルの内容を完全に把握することが可能であるが、ひとつの動画データファイルに複数のシーンが含まれる場合には、ファイル操作したいシーンを簡単に見つけたり、取り出すことも困難である。
【０００４】
本発明は、複数のシーンを含む動画データファイルの中の必要とするシーンのデータを直接的に容易に取り出し、再生、修正・編集作業などのファイル操作が可能な動画データファイルを作成することを目的とする。
【０００５】
【課題を解決するための手段】
上記目的を達成するために、本出願に係る第１の発明は、複数のシーンを含む動画データファイルの中の必要とするシーンのデータを容易に取り出し、再生、修正・編集作業などのファイル操作を可能とするために、各シーンの最初のフレームにインデックスを付けることを特徴とする。
【０００６】
本出願に係る第２の発明は、動画データファイル中の任意の１フレームを静止画として取り出し、動画データファイルのファイルサムネイルとすることを特徴とする。
【０００７】
本出願に係る第３の発明は、動画データファイルの先頭の１フレームを静止画データとして取り出し、動画データファイルのファイルサムネイルとすることを特徴とする。
【０００８】
本出願に係る第４の発明は、動画データファイルの任意のフレームに対して付けられたインデックスに対し、動画データファイル中の各インデックスに対応させた任意のフレームを静止画データとして取り出して各インデックスのシーンサムネイルとすることを特徴とする。
【０００９】
本出願に係る第５の発明は、動画データファイルの任意のフレームに対して付けられたインデックスに対し、動画データファイル中の各インデックスに対応するフレームを静止画データとして自動的に取り出して各インデックスのシーンサムネイルとすることを特徴とする。
【００１０】
【発明の実施の形態】
（実施例）
（第１の実施例）
図１は第１の実施例を説明する図面であり、同図において１はインデックスマークで映像内容２の任意のフレームに付けられている。
【００１１】
図２は動画データと映像内容の関係を説明する図面であり、同図において５は動画データ、１は各シーンの先頭のフレームに付けられたインデックスマーク、２は動画データ５の説明のために代表的なフレームを並べた映像内容である。
【００１２】
次に、図１に示す動画データファイルにおいて、任意のフレームである１、２、４、６にインデックスａ、ｂ、ｃ、ｄがそれぞれ付けられている。同図に示すインデックスマーク１は、説明のために便宜上付けたものであり、実際には、動画データのフォーマットや動画データを扱うアプリケーションソフトで扱い易い形式で記録されればよく、インデックスマーク１の付けられたフレーム番号や時間、アドレスなどのデータとすればよい。
【００１３】
シーンの変わり目にインデックスマーク１を付けることで、前記インデックスマーク１から次のインデックスマーク１までをひとつのシーンとして扱うことが可能である。
【００１４】
シーンの変わり目などにインデックスマークを付けることで、簡単に動画データファイル中の目的とする部分の再生を行ったり、動画編集などのファイル操作を行うことのできる動画データファイルを提供することが可能である。
【００１５】
（第２の実施例）
図３は第２の実施例を説明する図面であり、同図において２は図２で説明した動画データファイルの映像内容、１は前記動画データファイルに付けられたインデックスマーク、３は動画データファイルに付けられたファイルサムネイルである。
【００１６】
次に、上記動画データファイルにおいて、前記動画データファイル中の任意のフレームを静止画として取り出しファイルサムネイル３とする。取り出すフレームは前記動画データファイルの先頭フレーム、インデックスマーク１の有無に関係なく、前記動画データファイルの特徴を最も表しているフレームとすればよい。
【００１７】
以上説明したように、動画データファイルの最も特徴のあるファイルサムネイル３を付けることで、簡単に必要な動画データファイルを選択し、さらに必要とするシーンをインデックスマーク１により容易に選ぶことができる動画データファイルを提供することが可能である。
【００１８】
（第３の実施例）
図４は第３の実施例を説明する図面であり、同図において２は図２で説明した動画データファイルの映像内容、１は前記動画データファイルに付けられたインデックスマーク、３は動画データファイルに付けられたファイルサムネイルである。
【００１９】
次に、上記動画データファイルにおいて、前記動画データファイルの先頭フレームを静止画として自動的に取り出しファイルサムネイル３とする。ファイルサムネイル３をつくるために、静止画データを取り出すフレームを指定する必要はない。
【００２０】
以上説明したように、動画データファイルの先頭フレームから取り出された静止画よりつくられたファイルサムネイル３を付けることで、ファイルサムネイル３をつくるためのフレームを指定するという煩わしさがなく、簡単に必要な動画データファイルを識別し、さらに必要とするシーンをインデックスマーク１により容易に選ぶことができる動画データファイルを提供することが可能である。
【００２１】
（第４の実施例）
図５は第４の実施例を説明する図面であり、同図において２は図２で説明した動画データファイルの映像内容、１は前記動画データファイルに付けられたインデックスマーク、３は動画データファイルに付けられたファイルサムネイル４はインデックスマーク１の付けられたフレームに対応するシーンサムネイルである。同図において、インデックスマーク１のａに対しては映像内容２の１のフレームから取り出された静止画データからのシーンサムネイル４のａが付けられている。インデックスマーク１のｂに対しては映像内容２の２ではなく、同シーンの中のフレームのひとつである映像内容２の３のフレームから取り出された静止画データからのシーンサムネイル４のｂが付けられている。同様に、インデックスマーク１のｃ、ｄには映像内容２の４、６からつくられたシーンサムネイル４のｃ、ｄが付けられている。
【００２２】
次に、上記動画データファイルにおいて、前記動画データファイル中の任意のフレームを静止画として取り出しファイルサムネイル３とする。取り出すフレームは前記動画データファイルの先頭フレーム、インデックスマーク１の有無に関係なく、前記動画データファイルの特徴を最も表しているフレームとすればよい。前記動画データファイル中の任意のフレームを静止画として取り出してシーンサムネイル４とする。取り出すフレームは前記動画データファイルのインデックスマークの有無に関係なく、前記インデックスマークに関連付けられるシーンの特徴を最も表しているフレームとすればよい。
【００２３】
以上説明したように、動画データファイルの最も特徴のあるファイルサムネイル３を付けることで、簡単に必要な動画データファイルを選択し、さらに必要とするシーンをインデックスマーク１により容易に選ぶことができる。また、各シーンの最も特徴のあるシーンサムネイル４を各インデックスマーク１に付けることで、前記動画データファイルを選択してから必要なシーンを選択するという手順は必要なく、簡単に必要なシーンをシーンサムネイル４から直接選択することができる動画データファイルを提供することが可能である。
【００２４】
（第５の実施例）
図６は第５の実施例を説明する図面であり、同図において２は図２で説明した動画データファイルの映像内容、１は前記動画データファイルに付けられたインデックスマーク、３は動画データファイルに付けられたファイルサムネイル、４はインデックスマーク１の付けられたフレームに対応するシーンサムネイルである。
【００２５】
次に、上記動画データファイルにおいて、前記動画データファイルの先頭フレームを静止画として自動的に取り出しファイルサムネイル３とする。ファイルサムネイル３をつくるために、静止画データを取り出すフレームを指定する必要はない。前記動画データファイル中の任意のフレームを静止画として取り出してシーンサムネイル４とする。取り出すフレームは前記動画データファイルのインデックスマーク１の有無に関係なく、前記インデックスマーク１の示すシーンの特徴を最も表しているフレームとすればよい。
【００２６】
以上説明したように、動画データファイルの先頭フレームから取り出された静止画よりつくられたファイルサムネイル３を付けることで、ファイルサムネイル３をつくるためのフレームを指定するという煩わしさがなく、簡単に必要な動画データファイルを識別し、さらに必要とするシーンをインデックスマーク１により容易に選ぶことができる。また、各シーンの最も特徴のあるシーンサムネイル４を各インデックスマーク１に付けることで、前記動画データファイルを選択してから必要なシーンを選択するという手順は必要なく、簡単に必要なシーンをシーンサムネイル４から直接選択することができる動画データファイルを提供することが可能である。
【００２７】
（第６の実施例）
図７は第６の実施例を説明する図面であり、同図において２は図２で説明した動画データファイルの映像内容、１は前記動画データファイルに付けられたインデックスマーク、３は動画データファイルに付けられたファイルサムネイル、４はインデックスマーク１の付けられたフレームに対応するシーンサムネイルである。
【００２８】
同図において、インデックスマーク１のａに対しては対応する映像内容２の１のフレームから取り出された静止画データからのシーンサムネイル４のａが付けられている。インデックスマーク１のｂに対しては対応する映像内容２の２のフレームから取り出された静止画データからのシーンサムネイル４のｂが付けられている。同様に、インデックスマーク１のｃ、ｄには映像内容２の４、６からつくられたシーンサムネイル４のｃ、ｄが付けられている。
【００２９】
次に、上記動画データファイルにおいて、前記動画データファイルの先頭フレームを静止画として自動的に取り出しファイルサムネイル３とする。ファイルサムネイル３をつくるために、静止画データを取り出すフレームを指定する必要はない。前記動画データファイル中のインデックスマーク１が付けられたフレームを静止画として取り出しシーンサムネイル４とする。シーンサムネイル４をつくるために、静止画データを取り出すフレームを指定する必要はない。
【００３０】
以上説明したように、動画データファイルの先頭フレームから取り出された静止画よりつくられたファイルサムネイル３を付けることで、ファイルサムネイル３をつくるためのフレームを指定するという煩わしさがなく、簡単に必要な動画データファイルを識別し、さらに必要とするシーンをインデックスマーク１により容易に選ぶことができる。
【００３１】
また、インデックスマーク１が付いているフレームから取り出された静止画よりつくられたシーンサムネイル４を付けることで、シーンサムネイル４をつくるためのフレームを指定する煩わしさが共なわずに、前記動画データファイルを選択してから必要なシーンを選択するという手順は必要なく、簡単に必要なシーンをシーンサムネイル４から直接選択することができる動画データファイルを提供することが可能である。
【００３２】
【発明の効果】
以上説明したように、本発明によれば、目的とする動画データファイルを容易に探し出し、さらに、複数のシーンを含む動画データファイルにおいても、動画データファイル中の必要とするシーンのデータを容易に特定し、あるいは、必要とするシーンを直接特定することで、取り出し、再生、修正・編集作業などのファイル操作が可能な動画データファイルを提供することができる。
【図面の簡単な説明】
【図１】本発明の第１の実施例に係る映像データファイルを説明する図面である。
【図２】映像データファイルを説明する映像データファイル例である。
【図３】本発明の第２の実施例に係る映像データファイルを説明する図面である。
【図４】本発明の第３の実施例に係る映像データファイルを説明する図面である。
【図５】本発明の第４の実施例に係る映像データファイルを説明する図面である。
【図６】本発明の第５の実施例に係る映像データファイルを説明する図面である。
【図７】本発明の第６の実施例に係る映像データファイルを説明する図面である。
【図８】従来の映像データファイルを説明する図面である。
【符号の説明】
１  インデックスマーク
２  映像内容
３  ファイルサムネイル
４  シーンサムネイル
５  動画データ
【図１】
2004193934.tif 000003
【図２】
2004193934.tif 000004
【図３】
2004193934.tif 000005
【図４】
2004193934.tif 000006
【図５】
2004193934.tif 000007
【図６】
2004193934.tif 000008
【図７】
2004193934.tif 000009
【図８】
2004193934.tif 000010